(57)【要約】【課題】低コストで簡素な構成により、配管部材の開口端部を閉塞すると同時に、点検状況の表示を容易に行えるようにする。【解決手段】開口部閉塞兼点検状況表示用キャップ１は、配管部材２の開口端部４にリバーシブルに装着可能であり、配管部材２の開口端部４を閉塞するキャップ本体９と、キャップ本体９の表裏の少なくとも片面側に設けられる表裏判別手段Ａとを備えてなる。キャップ本体９は、配管部材２の開口端部４を被包可能な面積を持つ柔軟な面状部材１０と、この面状部材１０の周囲に設けられて面状部材１０の周囲を収縮させ得る収縮部１１とを備えている。また、表裏判別手段Ａは、キャップ本体９の表面の外観と裏面の外観とを異ならせたものである。【選択図】図１
2013181587.tif 000002
【特許請求の範囲】
【請求項１】
配管部材の開口端部にリバーシブルに装着可能であり、前記配管部材の開口端部を閉塞するキャップ本体と、
前記キャップ本体の表裏の少なくとも片面側に設けられる表裏判別手段と、
を備えてなることを特徴とする配管部材の開口部閉塞兼点検状況表示用キャップ。
【請求項２】
前記キャップ本体は、
前記配管部材の開口端部を被包可能な面積を持つ柔軟な面状部材と、
前記面状部材の周囲に設けられて前記面状部材の周囲を収縮させ得る収縮部と、
を備えてなることを特徴とする請求項１に記載の配管部材の開口部閉塞兼点検状況表示用キャップ。
【請求項３】
前記収縮部は伸縮可能であり、前記キャップ本体が前記配管部材の開口端部に装着されていない自由時には前記面状部材の周囲を収縮させていることを特徴とする請求項２に記載の配管部材の開口部閉塞兼点検状況表示用キャップ。
【請求項４】
前記キャップ本体は、
前記配管部材の開口端部にあてがわれて該開口端部を閉塞する閉塞部と、
前記閉塞部の両面に一体成形されて前記配管部材の開口端部の形状に密に嵌合する嵌合部と、を備えてなり、
前記閉塞部と前記嵌合部は弾性材料により一体成形されたものであることを特徴とする請求項１に記載の配管部材の開口部閉塞兼点検状況表示用キャップ。
【請求項５】
前記キャップ本体は、
前記配管部材の開口端部にあてがわれて該開口端部を閉塞する閉塞部と、
前記閉塞部の外周部付近に穿設されて、前記配管部材の開口端部の接続フランジ部に設けられたボルト孔に整合する固定孔と、
を備えてなることを特徴とする請求項１に記載の配管部材の開口部閉塞兼点検状況表示用キャップ。
【請求項６】
前記キャップ本体は、
前記配管部材の開口端部にあてがわれて該開口端部を閉塞する閉塞部と、
前記閉塞部の外周部付近に一体成形されて、前記配管部材の開口端部の接続フランジ部に設けられたボルト孔に挿し込まれることにより、前記ボルト孔を貫通して末広がりに拡径し、前記閉塞部を前記接続フランジ部に保持させる複数のクリップ部と、
を備えてなることを特徴とする請求項１に記載の配管部材の開口部閉塞兼点検状況表示用キャップ。
【請求項７】
前記表裏判別手段は、前記キャップ本体の表面の外観と裏面の外観とを異ならせたものであることを特徴とする請求項１から６のいずれかに記載の配管部材の開口部閉塞兼点検状況表示用キャップ。
【請求項８】
請求項１から７のいずれかに記載の配管部材の開口部閉塞兼点検状況表示用キャップを前記配管部材の開口端部に装着することにより、該開口端部を閉塞するとともに、該配管部材の点検状況を表示することを特徴とする配管部材の点検状況表示方法。
【発明の詳細な説明】
【技術分野】
【０００１】
本発明は、配管部材の開口部閉塞兼点検状況表示用キャップおよびこれを用いた点検状況表示方法に関するものである。
【背景技術】
【０００２】
ガスタービン発電設備や蒸気タービン発電設備において、多数の配管部材を備えた装置や構造物のメンテナンス時に、これを分解した状態で仮置きしておくような場合には、接続されていない配管部材の内部に異物や小生物（昆虫、ネズミ等）が入らないように、配管部材の開口端部に蓋をして閉塞することが通例である。それと共に、各配管部材を点検したか否かを判別できるように、配管部材の点検後には「点検済」等の文字を、チョークで配管部材に直接書き込んだり、タグや付箋等に記入して配管部材に貼り付けたりして表示していた。
【０００３】
このような作業に関連した技術が特許文献１に開示されている。この特許文献１では、メンテナンス用カバーの位置を特定し易くしてメンテナンス作業の効率を向上させるべく、メンテナンス対象となる装置の各メンテナンス部位に装着するメンテナンス用カバーに異なる着色を施したものが開示されている。これにより、メンテナンス作業者は作業対象部位を一目で認識することができ、不必要にカバーを開放して再び閉めるような手間が掛からなくなり、メンテナンスの作業効率を向上させることができる。
【先行技術文献】
【特許文献】
【０００４】
【特許文献１】特開２００７−７５０４１号公報
【発明の概要】
【発明が解決しようとする課題】
【０００５】
しかしながら、配管部材の開口端部を蓋で閉塞するとともに、その点検状況を書き込んだり貼り付けたりするのは手間が掛かる。また、特許文献１のように、メンテナンス用カバーに異なる着色を施しても、メンテナンスや点検が完了したか否かを表示する手段が設けられていない。このため、特許文献１に開示された技術を配管部材の点検状況を表示するために応用した場合には、着色の異なる複数のメンテナンス用カバーを用意しなければならない。このように、従来の技術では、多数のメンテナンス用カバーの用意にコストが掛かるとともに、それらの保管等の管理が煩雑になるという問題があった。
【０００６】
本発明は、上記問題点に鑑みてなされたもので、低コストで簡素な構成により、配管部材等の開口端部を閉塞すると同時に、点検状況の表示を容易に行うことのできる配管部材の開口部閉塞兼点検状況表示用キャップおよびこれを用いた点検状況表示方法を提供することを目的とする。
【課題を解決するための手段】
【０００７】
上記課題を解決するために、本発明は以下の手段を採用する。
即ち、本発明に係る配管部材の開口部閉塞兼点検状況表示用キャップの第１の態様は、配管部材の開口端部にリバーシブルに装着可能であり、前記配管部材の開口端部を閉塞するキャップ本体と、前記キャップ本体の表裏の少なくとも片面側に設けられる表裏判別手段と、を備えてなることを特徴とする。
【０００８】
上記構成の場合、キャップ本体は配管部材の開口端部にリバーシブルに装着可能であり、このキャップ本体には、その少なくとも片面側に表裏判別手段が設けられているため、開口部閉塞兼点検状況表示用キャップの表裏を判別することができる。そして、例えば開口部閉塞兼点検状況表示用キャップが表になっていれば未点検、裏になっていれば点検済み、というように取り決めておけば、点検が未完了の配管部材の開口端部には開口部閉塞兼点検状況表示用キャップの表側が外側を向くように装着し、点検が完了した配管部材の開口端部には開口部閉塞兼点検状況表示用キャップの裏側が外側を向くように装着することにより、配管部材の開口端部を閉塞して異物等の混入を防止すると同時に、配管部材の点検状態を一目で認識することができる。
【０００９】
このように、１つの開口部閉塞兼点検状況表示用キャップで、配管部材の開口端部を閉塞すると同時に、その配管部材の点検が完了している場合の表示と、点検が未完了の場合の表示の両方を簡単に行えるため、従来のように点検状況を書き込んだり貼り付けたりする手間が掛からない上に、多数のメンテナンス用カバー等を用意する必要がなくなり、低コストで簡素な構成により、配管部材の開口端部を閉塞すると同時に点検状況の表示を容易に行うことができる。
【００１０】
また、本発明に係る配管部材の開口部閉塞兼点検状況表示用キャップの第２の態様は、前記第１の態様において、前記キャップ本体は、前記配管部材の開口端部を被包可能な面積を持つ柔軟な面状部材と、前記面状部材の周囲に設けられて前記面状部材の周囲を収縮させ得る収縮部とを備えてなることを特徴とする。
【００１１】
上記構成によれば、面状部材を大き目に設定することにより、開口部閉塞兼点検状況表示用キャップをフリーサイズ化して、配管部材の開口端部の大小に拘わらず、１種類の開口部閉塞兼点検状況表示用キャップで対応することができる。このため、開口部閉塞兼点検状況表示用キャップの種類を減らして、その製造および管理のコストを削減することができる。
【００１２】
また、本発明に係る配管部材の開口部閉塞兼点検状況表示用キャップの第３の態様は、前記第２の態様において、前記収縮部は伸縮可能であり、前記キャップ本体が前記配管部材の開口端部に装着されていない自由時には前記面状部材の周囲を収縮させていることを特徴とする。
【００１３】
上記構成によれば、開口部閉塞兼点検状況表示用キャップを配管部材の開口端部に被せるだけで、収縮部が自ら収縮し、開口部閉塞兼点検状況表示用キャップの被装状態が保たれる。このため、開口部閉塞兼点検状況表示用キャップをワンタッチで容易に配管部材の開口端部に装着し、開口端部を閉塞すると同時に配管部材の点検状況の表示を行うことができる。
【００１４】
また、本発明に係る配管部材の開口部閉塞兼点検状況表示用キャップの第４の態様は、前記第１の態様において、前記キャップ本体は、前記配管部材の開口端部にあてがわれて該開口端部を閉塞する閉塞部と、前記閉塞部の両面に一体成形されて前記配管部材の開口端部の形状に密に嵌合する嵌合部と、を備えてなり、前記閉塞部と前記嵌合部は弾性材料により一体成形されたものであることを特徴とする。
【００１５】
上記構成によれば、弾性材料により一体成形されたキャップ本体を配管部材の開口端部に押し付けることにより、キャップ本体の閉塞部が開口端部にあてがわれると同時に、嵌合部が開口端部の形状に密に嵌合して開口部閉塞兼点検状況表示用キャップの装着が完了する。このため、開口部閉塞兼点検状況表示用キャップを一体成形により低コストで製造するとともに、開口部閉塞兼点検状況表示用キャップの装着を容易にすることができる。
【００１６】
また、本発明に係る配管部材の開口部閉塞兼点検状況表示用キャップの第５の態様は、前記第１の態様において、前記キャップ本体は、前記配管部材の開口端部にあてがわれて該開口端部を閉塞する閉塞部と、この閉塞部の外周部付近に穿設されて、前記配管部材の開口端部の接続フランジ部に設けられたボルト孔に整合する固定孔とを備えてなることを特徴とする。
【００１７】
上記構成によれば、閉塞部を配管部材の開口端部にあてがい、この閉塞部の外周部付近に穿設された固定孔を配管部材の開口端部の接続フランジ部に設けられたボルト孔に整合させ、ここにボルトを挿通させてナットで締結する、もしくはクリップ部材等を挿入することにより、開口部閉塞兼点検状況表示用キャップの装着が完了する。本構成によれば、キャップ本体（閉塞部）を単純な平板状に形成できるため、開口部閉塞兼点検状況表示用キャップの製造コストを安くするとともに、複数の開口部閉塞兼点検状況表示用キャップを重ね合わせて保管できるため、保管スペースを少なくすることができる。
【００１８】
また、本発明に係る配管部材の開口部閉塞兼点検状況表示用キャップの第６の態様は、前記第１の態様において、前記キャップ本体は、前記配管部材の開口端部にあてがわれて該開口端部を閉塞する閉塞部と、前記閉塞部の外周部付近に一体成形されて、前記配管部材の開口端部の接続フランジ部に設けられたボルト孔に挿し込まれることにより、前記ボルト孔を貫通して末広がりに拡径し、前記閉塞部を前記接続フランジ部に保持させる複数のクリップ部とを備えてなることを特徴とする。
【００１９】
上記構成によれば、閉塞部を配管部材の開口端部にあてがい、この閉塞部の外周部付近に一体成形された複数のクリップ部を、配管部材の開口端部の接続フランジ部に設けられたボルト孔に挿し込めば、クリップ部が上記ボルト孔を貫通して末広がりに拡径し、閉塞部を接続フランジ部に保持させる。このため、配管部材の開口端部に開口部閉塞兼点検状況表示用キャップを容易に装着することができる。クリップ部は末広がりに拡径するので閉塞部を接続フランジ部に押し付け続けて閉塞状態を保つ。開口部閉塞兼点検状況表示用キャップを取り外す時は、所定の力で閉塞部を接続フランジ部から引き離す方向に引っ張れば、クリップ部が縮径されてボルト孔から抜けるため、開口部閉塞兼点検状況表示用キャップを容易に取り外すことができる。
【００２０】
また、本発明に係る配管部材の開口部閉塞兼点検状況表示用キャップの第７の態様は、前記第１から第６のいずれかの態様において、前記表裏判別手段は、前記キャップ本体の表面の外観と裏面の外観とを異ならせたものであることを特徴とする。
【００２１】
上記のようにキャップ本体の表面の外観と裏面の外観とを異ならせる方法としては、例えば表面と裏面の色彩を異ならせたり、文字やマークを付したりすることが考えられる。表面と裏面に任意に文字を書き込めるようにしてもよい。いずれにしても、簡素な構成によって開口部閉塞兼点検状況表示用キャップの表裏を判別可能にし、配管部材の開口端部を閉塞すると同時に、その配管部材の点検が完了しているか否かの表示を簡単に行うことができる。
【００２２】
また、本発明に係る配管部材の点検状況表示方法は、前記第１から第７のいずれかの態様の配管部材の開口部閉塞兼点検状況表示用キャップを前記配管部材の開口端部に装着することにより、該開口端部を閉塞するとともに、該配管部材の点検状況を表示することを特徴とする。
【００２３】
上記の配管部材の点検状況表示方法によれば、配管部材の開口端部に装着された開口部閉塞兼点検状況表示用キャップが表になっているか裏になっているかで、その配管部材の点検状況を認識することができる。この開口部閉塞兼点検状況表示用キャップは容易に製造することができため、低コストで簡素な構成により、配管部材の開口端部を閉塞すると同時に、点検状況の表示を容易に行うことができる。
【発明の効果】
【００２４】
以上のように、本発明に係る配管部材の開口部閉塞兼点検状況表示用キャップおよびこれを用いた配管部材の点検状況表示方法によれば、低コストで簡素な構成により、配管部材の開口端部を閉塞すると同時に、点検状況の表示を容易に行うことができる。
【図面の簡単な説明】
【００２５】
【図１】本発明の第１実施形態に係る開口部閉塞兼点検状況表示用キャップが配管部材の開口端部に装着される前の状態を示す縦断面図である。
【図２】図１に示す開口部閉塞兼点検状況表示用キャップが配管部材の開口端部に装着された状態を示す縦断面図である。
【図３】本発明の第２実施形態に係る開口部閉塞兼点検状況表示用キャップが配管部材の開口端部に装着される前の状態を示す縦断面図である。
【図４】図３に示す開口部閉塞兼点検状況表示用キャップが配管部材の開口端部に装着された状態を示す縦断面図である。
【図５】本発明の第３実施形態に係る開口部閉塞兼点検状況表示用キャップが配管部材の開口端部に装着される前の状態を示す縦断面図である。
【図６】図５に示す開口部閉塞兼点検状況表示用キャップが配管部材の開口端部に装着された状態を示す縦断面図である。
【図７】図５のVII矢視による開口部閉塞兼点検状況表示用キャップの一方の面の正面図である。
【図８】図５のVIII矢視による開口部閉塞兼点検状況表示用キャップの他方の面の正面図である。
【図９】本発明の第４実施形態に係る開口部閉塞兼点検状況表示用キャップが配管部材の開口端部に装着される前の状態を示す縦断面図である。
【図１０】図９に示す開口部閉塞兼点検状況表示用キャップが配管部材の開口端部に装着された状態を示す縦断面図である。
【図１１】本発明の第５実施形態に係る開口部閉塞兼点検状況表示用キャップが配管部材の開口端部に装着される前の状態を示す縦断面図である。
【図１２】図１１に示す開口部閉塞兼点検状況表示用キャップが配管部材の開口端部に装着された状態を示す縦断面図である。
【図１３】本発明の第６実施形態に係る開口部閉塞兼点検状況表示用キャップが配管部材の開口端部に装着される前の状態を示す縦断面図である。
【図１４】図１３に示す開口部閉塞兼点検状況表示用キャップが配管部材の開口端部に装着された状態を示す縦断面図である。
【発明を実施するための形態】
【００２６】
以下に、本発明に係る配管部材２の開口部閉塞兼点検状況表示用キャップの複数の実施形態について、図１〜図１４を参照しながら説明する。
〔第１実施形態〕
図１と図２は、本発明に係る開口部閉塞兼点検状況表示用キャップの第１実施形態を示す縦断面図である。この開口部閉塞兼点検状況表示用キャップ１が装着される配管部材２は、そのパイプ部分３の先端となる開口端部４に接続フランジ部５が設けられており、この接続フランジ部５に複数のボルト孔６が周方向に等間隔で穿設されている。接続フランジ部５は、図示しないガスケット部材を介して他の配管部材の接続フランジ部に合わせられ、両方の接続フランジ部のボルト孔同士が整合されてボルトが挿入され、ナットと共に締結されて連結される。配管部材２を切り離した状態で仮置きする場合には、配管部材２の開口端部４に開口部閉塞兼点検状況表示用キャップ１で蓋がなされ、配管部材２の内径部７に異物等が入ることが防止されると共に、開口部閉塞兼点検状況表示用キャップ１によって配管部材２の点検がなされたか否かが表示される。
【００２７】
開口部閉塞兼点検状況表示用キャップ１は、配管部材２の開口端部４にリバーシブルに装着可能なシャワーキャップ状のキャップ本体９を備えている。このキャップ本体９は、配管部材２の開口端部４を被包可能な面積を持つ柔軟な面状部材１０と、この面状部材１０の周囲に設けられた収縮部１１とを備えている。面状部材１０は、布やゴム、軟質樹脂等の素材により、薄く柔軟に形成される。面状部材１０および収縮部１１を構成する素材としては、耐熱性、耐油性、耐薬品性のあるものが望ましい。
【００２８】
収縮部１１は、例えば面状部材１０の外周部を折り返して縫合、もしくは接着、溶着等することにより袋状の紐通し部１３を形成し、この紐通し部１３の中に伸縮バンド１４を挿通したものである。伸縮バンド１４はゴムロープや細いコイルスプリング等の伸縮性のある素材により形成され、面状部材１０の周囲を収縮させることができる。この収縮部１１（伸縮バンド１４）は、キャップ本体９が配管部材２の開口端部４に装着されていない自由時（図１の状態）においては、面状部材１０の周囲を小さく収縮させてキャップ本体９を巾着袋状に保つ。収縮部１１の内径寸法は、最大に拡げられた時に配管部材２の接続フランジ部５の外径寸法よりも大きくなり、自由時（最収縮時）には接続フランジ部５の外径寸法よりも小さくなることが必須である。なお、自由時に配管部材２のパイプ部分３の外径寸法よりも小さくなればより好ましい。
【００２９】
また、キャップ本体９の表面または裏面の少なくとも片側には表裏判別手段Ａが設けられている。この表裏判別手段Ａは、キャップ本体９（面状部材１０）の表面の外観と裏面の外観とを異ならせるものであり、例えば表面と裏面の色彩を異ならせる、あるいは文字やマークを付すこと等が例示される。色彩を異ならせる場合は、例えば一面側を赤、他面側を青とし、赤は未点検の表示、青は点検済みの表示と取り決める。文字を付す場合は、例えば一側に「未」や「×」と記して未点検の表示とし、他側に「済」や「○」と記して点検済の表示と取り決める。上記の例に限らず、他の色彩や文字、記号や絵等を付してもよい。
【００３０】
本発明に係る配管部材２の点検状況表示方法は、上記のように構成された開口部閉塞兼点検状況表示用キャップ１を配管部材２の開口端部４に装着することにより、開口端部４を閉塞するとともに、配管部材２の点検状況を表示することを特徴とする。開口部閉塞兼点検状況表示用キャップ１を配管部材２の開口端部４に装着する場合は、収縮部１１の内径を拡開して、図２に示すように開口部閉塞兼点検状況表示用キャップ１を開口端部４の接続フランジ部５に被せる。その際、配管部材２の点検が未完了の場合は表裏判別手段Ａが未点検を示す側、例えば前記の取り決めとした場合は赤や「×」の面が外側に露呈するように被せ、点検が完了している場合は表裏判別手段Ａが点検済みを示す側、即ち青や「○」の面が外側に露呈するように被せる。
【００３１】
開口部閉塞兼点検状況表示用キャップ１が配管部材２の接続フランジ部５に装着されると、収縮部１１が収縮し、その内径が接続フランジ部５の外径寸法よりも小さく縮むため、接続フランジ部５が開口部閉塞兼点検状況表示用キャップ１によって被包され、開口端部４が閉塞される。同時に、表裏判別手段Ａによって配管部材２の点検状況（点検済みか否か）が表示される。なお、開口部閉塞兼点検状況表示用キャップ１の自由時における収縮部１１の内径寸法を配管部材２のパイプ部分３の外径寸法よりも小さくした場合には、図２に示す被装時において収縮部１１がパイプ部分３の外周面を圧迫するため、気密性および防水性が高められる。
【００３２】
以上のように、この開口部閉塞兼点検状況表示用キャップ１は、配管部材２の開口端部４にリバーシブルに装着可能であり、配管部材２の開口端部４を閉塞するキャップ本体９と、このキャップ本体９の表裏の少なくとも片面側に設けられる表裏判別手段Ａとを備えてなることを特徴とする。このため、配管部材２の開口端部４を閉塞して内径部７に異物等が混入することを防止することと、配管部材２の点検状況の表示とを同時に行うことができる。
【００３３】
したがって、従来のように、配管部材２に蓋をすることに加えて、配管部材２の点検状況を書き込んだり、付箋を貼り付けて表示したりする手間が掛からない。しかも、点検済みを表示するキャップと未点検を表示するキャップとを個別に用意しなくて済むので、開口部閉塞兼点検状況表示用キャップ１の必要数を削減できる。こうして、低コストで簡素な構成により、開口部閉塞兼点検状況表示用キャップ１の表裏を判別可能にし、配管部材２の開口端部４を閉塞すると同時に、配管部材２の点検が完了しているか否かの表示を簡単に行うことができる。
【００３４】
また、キャップ本体９が、配管部材２の開口端部４を被包可能な面積を持つ柔軟な面状部材１０と、この面状部材１０の周囲に設けられて面状部材１０の周囲を収縮させ得る収縮部１１とを備えて構成されているため、面状部材１０を大き目に設定することにより、開口部閉塞兼点検状況表示用キャップ１をフリーサイズ化して、配管部材２の接続フランジ部５の大小に拘わらず、１種類の開口部閉塞兼点検状況表示用キャップ１で対応することができる。このため、開口部閉塞兼点検状況表示用キャップ１の種類（サイズ）を減らして、その製造および管理のコストをより一層削減することができる。
【００３５】
さらに、収縮部１１が伸縮可能であり、キャップ本体９が配管部材２の開口端部４に装着されていない自由時には面状部材１０の周囲を収縮させているため、開口部閉塞兼点検状況表示用キャップ１を配管部材２の開口端部４に被せるだけで、収縮部１１が自ら収縮し、開口端部４に対して開口部閉塞兼点検状況表示用キャップ１の被装状態が保たれる。このため、開口部閉塞兼点検状況表示用キャップ１をワンタッチで容易に開口端部４に装着し、開口端部４を閉塞すると同時に配管部材２の点検状況の表示を行うことができる。
【００３６】
なお、上記実施形態では、収縮部１１が、紐通し部１３の中に挿入された伸縮バンド１４の弾力により伸縮するようになっているが、必ずしも伸縮バンド１４でなくてもよく、例えば紐通し部１３の中に伸縮性の無いロープを挿入し、このロープの両端を紐通し部１３に設けた開口部から外部に延出させ、開口部閉塞兼点検状況表示用キャップ１を配管部材２の接続フランジ部５に被せてから作業者がロープの両端を引っ張って収縮部１１を引き締めて結ぶようにしてもよい。但し装着作業性が劣ることは言うまでもない。
【００３７】
〔第２実施形態〕
図３と図４は、本発明に係る開口部閉塞兼点検状況表示用キャップの第２実施形態を示す縦断面図である。配管部材２の構成は、図１と図２に示す第１実施形態のものと同一である。
この開口部閉塞兼点検状況表示用キャップ２１は、その基本的な構成が第１実施形態の開口部閉塞兼点検状況表示用キャップ１と近似しているが、そのキャップ本体２２を構成する面状部材２３と収縮部２４がゴム等の伸縮性のある素材によって一体に成形されている点が異なる。素材にゴムを用いる場合はニトリルゴム（ＮＢＲ）等の、耐熱性、耐油性、耐薬品性に優れた素材を用いるのが好ましい。
【００３８】
面状部材２３は、厚さの均一なシート状、且つ配管部材２の接続フランジ部５を被包可能な袋状に形成され、その１箇所に設けられた開口部２５の周部に収縮部２４が一体に形成されている。収縮部２４は、例えば面状部材２３の厚みよりも大きな径の丸断面形状である。収縮部２４の内径寸法は、最大に拡げられた時に配管部材２の接続フランジ部５の外径寸法よりも大きくなり、自由時（最収縮時）には接続フランジ部５の外径寸法よりも小さくなることが必須である。なお、自由時に配管部材２のパイプ部分３の外径寸法よりも小さくなればより好ましい。
【００３９】
そして、第１実施形態の開口部閉塞兼点検状況表示用キャップ１と同じく、キャップ本体２２の表面または裏面の少なくとも片側に表裏判別手段Ｂが設けられている。この表裏判別手段Ｂは、第１実施形態の表裏判別手段Ａと同様に、キャップ本体２２（面状部材２３）の表面の外観と裏面の外観とを異ならせて、開口部閉塞兼点検状況表示用キャップ２１に配管部材２の点検状況の表示を行わせるものである。
【００４０】
以上のように構成された開口部閉塞兼点検状況表示用キャップ２１の使用法は第１実施形態の開口部閉塞兼点検状況表示用キャップ１と同様である。即ち、収縮部２４の内径を拡げて、図４に示すように開口部閉塞兼点検状況表示用キャップ２１を配管部材２の接続フランジ部５に被せる。すると、収縮部２４が収縮し、その内径寸法が接続フランジ部５の外径寸法よりも小さく縮むため、接続フランジ部５が開口部閉塞兼点検状況表示用キャップ２１によって被包され、開口端部４が閉塞される。同時に、表裏判別手段Ｂによって配管部材２の点検状況（点検済みか否か）が表示される。なお、開口部閉塞兼点検状況表示用キャップ２１の自由時における収縮部２４の内径寸法が配管部材２のパイプ部分３の外径寸法よりも小さく設定された場合には、図４に示す被装時において、収縮部２４がパイプ部分３の外周面を圧迫し、気密性および防水性が高められる。
【００４１】
この開口部閉塞兼点検状況表示用キャップ２１は、キャップ本体２２を構成する面状部材２３と収縮部２４とをゴム等の材質で一体成形しているため、第１実施形態の開口部閉塞兼点検状況表示用キャップ１よりも安価に製造することができる。また、自由時における収縮部２４の内径寸法を配管部材２のパイプ部分３の外径寸法よりもタイトにすることにより、第１実施形態の開口部閉塞兼点検状況表示用キャップ１よりも気密性と防水性を格段に向上させることができる。
【００４２】
〔第３実施形態〕
図５と図６は、本発明に係る開口部閉塞兼点検状況表示用キャップの第３実施形態を示す縦断面図である。配管部材２の構成は、図１と図２に示す第１実施形態のものと同一である。
この開口部閉塞兼点検状況表示用キャップ３１は、配管部材２の開口端部４にリバーシブルに装着可能なキャップ本体３２を備えている。キャップ本体３２は、開口端部４にあてがわれてこれを閉塞する平板状の閉塞部３３と、この閉塞部３３の外周部の両面に形成されて開口端部４の形状、特にここでは接続フランジ部５の外周形状に密に嵌合する嵌合部３４とが、ゴムや軟質樹脂等の弾性材料によって一体成形され、その縦断面形状が略「Ｉ」字形とされたものである。なお、嵌合部３４の内周端部には周方向に延在する凸部３５が形成されている。この凸部３５の内径寸法は、配管部材２の接続フランジ部５の外径寸法よりも若干小さく設定されている。この凸部３５を設けたことにより、図６に示すように開口部閉塞兼点検状況表示用キャップ３１が配管部材２の開口端部４に装着された際に、凸部３５が接続フランジ部５に引っ掛かって開口部閉塞兼点検状況表示用キャップ３１が外れにくくなる。
【００４３】
キャップ本体３２の表裏には、図７および図８に示すように、表裏判別手断Ｃが設けられている。この表裏判別手断Ｃとしては、例えばキャップ本体３２を構成する閉塞部３３の表面と裏面に、それぞれ「未」、「済」という文字を浮き彫り、もしくは掘り下げて成形したものである。これらの文字はペイント等により形成しても構わない。また、「未」の代わりに「×」、「済」の代わりに「○」といった記号を記載したり、文字や記号を記載する代わりに閉塞部３３の両面の色彩を異ならせたりしてもよい。この表裏判別手断Ｃにより、第１、第２実施形態と同じく、開口部閉塞兼点検状況表示用キャップ３１に配管部材２の点検状況の表示を行わせる。
【００４４】
この開口部閉塞兼点検状況表示用キャップ３１によれば、弾性材料により一体成形されたキャップ本体３２を配管部材２の開口端部４に押し付けることにより、図６に示すようにキャップ本体３２の閉塞部３３が開口端部４にあてがわれてこれを閉塞すると同時に、嵌合部３４が接続フランジ部５の外周部に密に嵌合して開口部閉塞兼点検状況表示用キャップ３１の装着が完了する。このため、開口部閉塞兼点検状況表示用キャップ３１を一体成形によりローコストに製造するとともに、開口部閉塞兼点検状況表示用キャップ３１の装着を容易にすることができる。また、開口部閉塞兼点検状況表示用キャップ３１の装着面を表裏選択することにより、配管部材２の点検状況を明瞭に表示することができる。
【００４５】
〔第４実施形態〕
図９と図１０は、本発明に係る開口部閉塞兼点検状況表示用キャップの第４実施形態を示す縦断面図である。配管部材２の構成は、図１と図２に示す第１実施形態のものと同一である。
この開口部閉塞兼点検状況表示用キャップ４１は、配管部材２の開口端部４にリバーシブルに装着可能なキャップ本体４２を備えている。キャップ本体４２は、開口端部４にあてがわれてこれを閉塞する平板状の閉塞部４３と、この閉塞部４３の表裏面の径方向中央付近に形成されて開口端部４の形状、特にここでは配管部材２の内径部７に密に嵌合する先窄まりのテーパー円筒状の嵌合部４４とが、ゴムや軟質樹脂等の弾性材料によって一体成形されたものである。嵌合部４４を先窄まりのテーパー円筒状とすることにより、図１０に示すように開口部閉塞兼点検状況表示用キャップ４１が配管部材２の開口端部４に装着された際に、嵌合部４４が配管部材２の内径部７に圧入される傾向となり、開口部閉塞兼点検状況表示用キャップ３１が外れにくくなる。また、配管部材２の内径部７の寸法に若干のバラつきがあっても開口部閉塞兼点検状況表示用キャップ３１を問題なく装着することができる。
【００４６】
キャップ本体４２の表裏には、表裏判別手断Ｄが設けられている。この表裏判別手断Ｄは、第３実施形態の開口部閉塞兼点検状況表示用キャップ３１と同様に、キャップ本体４２を構成する閉塞部４３の一方の面と他方の面に、それぞれ異なる文字や記号を記載したり、閉塞部４３の両面の色彩を異ならせたりして、キャップ本体４２の両面の外観を異ならせたものである。嵌合部４４の形状（デザイン）を閉塞部４３の両面で異ならせて表裏判別手断Ｄとしてもよい。この表裏判別手断Ｄにより、第１〜第３実施形態と同じく、開口部閉塞兼点検状況表示用キャップ４１に配管部材２の点検状況の表示を行わせる。即ち、配管部材２の点検状況に応じて閉塞部４３の表面と裏面を適宜選択し、選択した面が外部に露呈する向きでキャップ本体４２を接続フランジ部５に装着する。なお、本実施形態では、閉塞部４３の外径寸法が配管部材２の接続フランジ部５の外径寸法と等しくされているが、接続フランジ部５の外径寸法より小さくしてもよい。
【００４７】
〔第５実施形態〕
図１１と図１２は、本発明に係る開口部閉塞兼点検状況表示用キャップの第５実施形態を示す縦断面図である。配管部材２の構成は、図１と図２に示す第１実施形態のものと同一である。
この開口部閉塞兼点検状況表示用キャップ５１は、配管部材２の開口端部４にリバーシブルに装着可能なキャップ本体５２を備えている。このキャップ本体５２は、開口端部４にあてがわれてこれを閉塞する樹脂製かつ平板状の閉塞部５３と、この閉塞部５３の外周部付近に穿設されて、配管部材２の接続フランジ部５に設けられたボルト孔６に整合する複数の固定孔５４とを備えて構成されている。固定孔５４は、必ずしもボルト孔６の数と同数設ける必要はなく、少なくとも等間隔で２箇所以上設けられていればよい。また、閉塞部５３は必ずしも樹脂性でなくてもよい。
【００４８】
キャップ本体５２の表裏には、表裏判別手断Ｅが設けられている。この表裏判別手断Ｅは、第３および第４実施形態の開口部閉塞兼点検状況表示用キャップ３１，４１と同様に、キャップ本体５２を構成する閉塞部５３の一方の面と他方の面に、それぞれ異なる文字や記号を記載したり、閉塞部５３の両面の色彩を異ならせたりして、キャップ本体５２の両面の外観を異ならせたものである。この表裏判別手断Ｅにより、第１〜第４実施形態と同じく、開口部閉塞兼点検状況表示用キャップ５１に配管部材２の点検状況の表示を行わせる。即ち、配管部材２の点検状況に応じて閉塞部５３の表面と裏面を適宜選択し、選択した面が外部に露呈する向きでキャップ本体５２を接続フランジ部５に装着すればよい。
【００４９】
図１２に示すように、キャップ本体５２（閉塞部５３）は、例えば複数のクリップ部材５５によって接続フランジ部５に装着される。即ち、キャップ本体５２に形成された固定孔５４が接続フランジ部５のボルト孔６に整合され、この整合した固定孔５４とボルト孔６にクリップ部材５５が挿入されると、クリップ部材５５の脚部５５ａが径方向に拡径して自然抜脱しなくなり、これによってキャップ本体５２が接続フランジ部５にあてがわれた状態で保持される。あるいは、クリップ部材５５の代わりに、接続フランジ部５同士を接続するボルト（非図示）を固定孔５４とボルト孔６に挿通してキャップ本体５２を固定してもよい。これらにより、開口部閉塞兼点検状況表示用キャップ５１を簡単に接続フランジ部５に装着できる。
【００５０】
この開口部閉塞兼点検状況表示用キャップ５１の構成によれば、キャップ本体５２（閉塞部５３）を単純な平板状に形成できるため、開口部閉塞兼点検状況表示用キャップ５１の製造コストを著しく安くするとともに、複数の開口部閉塞兼点検状況表示用キャップ５１を重ね合わせて保管できるため、保管スペースを少なくできるというメリットがある。
【００５１】
〔第６実施形態〕
図１３と図１４は、本発明に係る開口部閉塞兼点検状況表示用キャップの第６実施形態を示す縦断面図である。配管部材２の構成は、図１と図２に示す第１実施形態のものと同一である。
この開口部閉塞兼点検状況表示用キャップ６１は、配管部材２の開口端部４にリバーシブルに装着可能なキャップ本体６２を備えている。このキャップ本体６２は、開口端部４にあてがわれてこれを閉塞する平板状の閉塞部６３と、この閉塞部６３の外周部付近の両面に一体成形されて、接続フランジ部５に設けられたボルト孔６に挿し込まれることにより、その脚部６４ａが径方向に末広がりに拡径して自然抜脱しなくなる複数のクリップ部６４とが、樹脂材料により一体に成形されたものである。
【００５２】
キャップ本体６２の表裏には、表裏判別手断Ｆが設けられている。この表裏判別手断Ｆは、第３〜第５実施形態の開口部閉塞兼点検状況表示用キャップ３１〜５１と同様に、キャップ本体６２を構成する閉塞部６３の一方の面と他方の面に、それぞれ異なる文字や記号を記載したり、閉塞部６３の両面の色彩を異ならせたりして、キャップ本体６２の両面の外観を異ならせたものである。この表裏判別手断Ｆにより、第１〜第５実施形態と同じく、開口部閉塞兼点検状況表示用キャップ６１に配管部材２の点検状況の表示を行わせる。即ち、配管部材２の点検状況に応じて閉塞部６３の表面と裏面を適宜選択し、選択した面が外部に露呈する向きでキャップ本体６２を接続フランジ部５に装着する。
【００５３】
本構成によれば、閉塞部６３を配管部材２の開口端部４にあてがい、クリップ部６４の脚部６４ａを接続フランジ部５のボルト孔６に挿し込めば、図１４に示すようにクリップ部６４がボルト孔６を貫通して末広がりに拡径し、閉塞部６３を接続フランジ部５に保持させる。このため、開口部閉塞兼点検状況表示用キャップ６１を配管部材２の開口端部４に極めて容易に装着することができる。クリップ部６４の脚部６４ａは末広がりに拡径するため、閉塞部６３を接続フランジ部５に押し付け続けて閉塞状態を保つ作用がある。開口部閉塞兼点検状況表示用キャップ６１を取り外す時は、所定の力で閉塞部６３を接続フランジ部５から引き離す方向に引っ張れば、脚部６４ａが縮径されてクリップ部６４がボルト孔６から抜けるため、開口部閉塞兼点検状況表示用キャップ６１を容易に取り外すことができる。
【００５４】
以上のように、本発明に係る開口部閉塞兼点検状況表示用キャップ１，２１，３１，４１，５１，６１およびこれらを用いた配管部材２の点検状況表示方法によれば、低コストで簡素な構成により、配管部材２の開口端部４を閉塞すると同時に、点検状況の表示を容易に行うことができる。
【００５５】
なお、本発明は上記の各実施形態の構成のみに限定されるものではなく、本発明の要旨を逸脱しない範囲内において適宜変更や改良を加えることができ、このように変更や改良を加えた実施形態も本発明の権利範囲に含まれる。例えば、開口部閉塞兼点検状況表示用キャップ１〜６１の各部の素材は、必ずしも上記各実施形態と同一でなくてもよい。また、表裏判別手段Ａ〜Ｆの構成については、キャップ本体９，２２，３２，４２，５２，６２の表裏の外観を異ならせるものであれば、他の構成であっても構わない。さらに、第１〜第６実施形態の構成を適宜組み合わせてもよい。
【符号の説明】
【００５６】
１，２１，３１，４１，５１，６１  開口部閉塞兼点検状況表示用キャップ
２  配管部材
３  パイプ部分
４  開口端部
５  接続フランジ部
６  ボルト孔
７  内径部
９，２２，３２，４２，５２，６２  キャップ本体
１０，２３  面状部材
１１，２４  収縮部
１４  収縮バンド
３３，４３，５３，６３  閉塞部
３４，４４  嵌合部
５４  固定孔
６４  クリップ部
Ａ〜Ｆ  表裏判別手段
【図１】
2013181587.tif 000003
【図２】
2013181587.tif 000004
【図３】
2013181587.tif 000005
【図４】
2013181587.tif 000006
【図５】
2013181587.tif 000007
【図６】
2013181587.tif 000008
【図７】
2013181587.tif 000009
【図８】
2013181587.tif 000010
【図９】
2013181587.tif 000011
【図１０】
2013181587.tif 000012
【図１１】
2013181587.tif 000013
【図１２】
2013181587.tif 000014
【図１３】
2013181587.tif 000015
【図１４】
2013181587.tif 000016